(57)【要約】【課題】平均的な英語力の社会人でも，一般の英語の映画やドラマ，アニメなどでストレスなく学ぶことができるようにするとともに，効果的なトレーニングを行うことができるようにする。【解決手段】  英語学習用の様々な機能を加えた専用のビューアを活用した。学習補助：英文中にルビ訳と文構造の表示を行うとともに，一般的な日本語の代わりに文節訳を表示し，訳の参照を容易にした。トレーニング：スラッシュリーディングのトレーニングを，動画を視聴しながら，個々のユーザーのレベルに合わせて行えるようにした。スラッシュリーディングは英文を短い単位で訳していくテクニックで，複雑な英文でもシンプルな構造になる。例えば，難しい英文に対してスラッシュを入れるだけで，中学レベルの文法力でも，大まかな意味を取ることが可能になる。【選択図】図８
2018112681.tif 000002
【特許請求の範囲】
【請求項１】
コンテンツを再生する再生部と，
前記コンテンツの再生の進行に沿った第１言語に基づく字幕を，当該字幕の文節単位ごとの区切りを特定して保持し，前記字幕の文節についての又は前記文節単位ごとに含まれる語彙についての，第２言語に基づく訳語情報を保持する字幕記憶部と，
前記コンテンツの再生の進行に合わせて前記字幕を表示すると共に，表示される字幕の文節単位ごとの区切りを示す区切り情報及び前記訳語情報を表示する字幕表示部と，
を備える外国語学習装置。
【請求項２】
レベルを選択する選択部をさらに備え，
前記字幕記憶部は，前記訳語情報をレベルごとに区分して記憶し，
前記字幕表示部は，前記訳語情報のうち，選択されたレベルに該当するものを選択して表示する，
請求項１に記載の外国語学習装置。
【請求項３】
前記訳語情報は，前記字幕に含まれる語彙ごとの訳語である第１訳語情報と，前記字幕に含まれる文節ごとの訳である第２訳語情報を含み，
前記字幕表示部は，前記訳語情報として，表示する字幕に対応する語彙と並べて前記第１訳語情報を表示し，さらに前記第２訳語情報を表示する，
請求項１又は２に記載の外国語学習装置。
【請求項４】
前記訳語情報は，前記字幕に含まれる１文全体の意味に関連する情報である第３訳語情報を含み，
前記字幕表示部は，前記訳語情報として，前記第３訳語情報をさらに表示する，
請求項３に記載の外国語学習装置。
【請求項５】
前記字幕記憶部は，前記字幕に含まれる文に関する文法情報を，該当する語彙に対応付けて記憶し，
前記字幕表示部は，前記字幕を表示するときに，表示される字幕とともに，該当する前記文法情報をさらに表示する，
請求項１〜４のいずれかに記載の外国語学習装置。
【請求項６】
レベルを選択する選択部をさらに備え，
前記字幕記憶部は，前記文法情報をレベルごとに区分して記憶し，
前記字幕表示部は，前記文法情報のうち，選択されたレベルに該当するものを選択して表示する，
請求項５に記載の外国語学習装置。
【発明の詳細な説明】
【技術分野】
【０００１】
本発明は，一般の英語のドラマやアニメなどを活用した英語学習のための翻訳，学習補助，トレーニングに関するものである。
【背景技術】
【０００２】
一般の英語の映画やドラマ，アニメなどを活用した学習教材や機器は複数存在する。古くから映画などの英文スクリプトと日本語訳を併記した書籍が販売されており，ＤＶＤの流通後は英文字幕と日本語訳を同時に表示するＤＶＤデッキやコンピュータ・ソフトウェアが販売され，最近では流通方法がダウンロードやストリーミングに移行している。しかし，いずれの場合も，字幕（スクリプト）表示は英語字幕のみか，英語字幕と日本語訳である。なお，従来の技術では，他に語彙や文法・語法などの解説が含まれることもあるが，これらは動画の視聴とは別に行う必要がある。
【０００３】
一方，スラッシュリーディングはチャンクリーディング，フレーズリーディングなどとも呼ばれ，古くから重要性が指摘され，現在でも書籍などのかたちで提供されている。例えば特許文献１によると，学習教材のテキスト体裁の英文について，スラッシュリーディングの区切り情報を表示するものが挙げられる。しかし，映像コンテンツを利用する場合には，映像の進行に合わせて表示したり，映像に合わせて理解していくための工夫が必要であり，これまでスラッシュリーディングを利用したサービスは提供されてこなかった。なお，映像ではなく，単に音声と連動したサービスも提供されていない。
【先行技術文献】
【特許文献】
【０００４】
【特許文献１】特開２０１６−１１４７８１号公報
【発明の概要】
【発明が解決しようとする課題】
【０００５】
上述のように，字幕（スクリプト）表示は英語字幕のみか，英語字幕と日本語訳であり，以下の課題が生じる。
１．英文の難易度が高い。
一般の英語の映画やドラマ，アニメは英語の英文の難易度が高く，英語字幕と日本語訳だけでは平均的なユーザーには不十分で，個々のユーザーごとの英語レベルへの対応は皆無である。英文自体が難しいことが最も大きな問題であるが，個々の単語や連語が分からないときの確認ができない。
２．ビューアが英語学習に適していない。
ビューアは一般の動画用プレーヤーを流用しており，英語学習に必要な機能，例えば再生速度変更などにはほとんど対応していない。また，字幕表示が動画外である場合や，全画面表示ができないなど，基礎的な技術にすら対応していないことも多い。
【０００６】
３．日本語訳の参照がしにくい。
英語字幕と日本語訳しかないため，英語字幕中に分からない部分があるときの参照がしにくい。日本語訳を確認しながらの学習はストレスで，集中した学習ができない。特に視聴中，英語についてある程度聞き取れる場合，英語の流れを追うことから日本語訳の流れから目が離れてしまう。その後，再生される言語が把握できなくなった場合に日本語訳の方に戻りづらくなってしまうことから，英語学習と内容理解を並行することが難しい。
【０００７】
４．実際の英語力に結びつきにくい。
動画を利用した学習に限ったことではないが，英語は熱心に学習しても上達しにくく，語彙や文法等の知識も実際の英語力に結び付きにくい。特に，一定レベル以上になるとその傾向が強い。例えば，英語学科や英文科の大学生でも，在学中に熱心に学習したにもかかわらず，実際の英語力が入学時と卒業時でほとんど変わらない者は多い。また，文科省の資料によると日常的に英語に接している中学・高校の英語教員でも，英検準１級相当の英語力のある教員は少ない。
【０００８】
５．学習用の翻訳が難しく，コストも高い。
機械翻訳はまだまだ発展途上であり，日本語と英語などの言語構造の大きく異なる言語同士の翻訳はまだ正確ではない。一方で映像音声についての字幕の場合には，ある程度意味が取れれば文章としての正確さはそこまで必要ではない。この点で一般的な文書についての翻訳と映像音声についての字幕の翻訳では要求水準が異なっており，映像音声についての字幕に適した翻訳を提供することが望まれている。もちろん従来通りの厳密な翻訳でも視聴者の用に供することはできるが，膨大に提供される映像音声に対してはより簡易な字幕提供とすることで，提供負担の少ない低コストな翻訳提供が求められている。
【課題を解決するための手段】
【０００９】
本発明に係る外国語学習装置は，コンテンツを再生する再生部と，前記コンテンツの再生の進行に沿った第１言語に基づく字幕を，当該字幕の文節単位ごとの区切りを特定して保持し，前記字幕の文節についての又は前記文節単位ごとに含まれる語彙についての，第２言語に基づく訳語情報を保持する字幕記憶部と，前記コンテンツの再生の進行に合わせて前記字幕を表示すると共に，表示される字幕の文節単位ごとの区切りを示す区切り情報及び前記訳語情報を表示する字幕表示部と，を備える。
【発明の効果】
【００１０】
本発明によれば，字幕が文節ごとに区切った状態で表示されるので，簡易な表示態様で，視聴者の再生コンテンツに対する理解度を向上させることができる。また，文節ごとに訳語情報が表示されることから，字幕言語と訳文を目で追って合わせなくても，対応する訳文を的確に把握することができる。
【００１１】
特に映像や音声などのコンテンツで再生される言語の流れに乗って理解していた途中に分からなくなった場合でも，訳語情報の流れが字幕の言語の流れに沿っていることから，訳文情報に目を移して内容の把握を優先し，内容を把握できた時点で再びコンテンツの言語の流れにスムーズに戻ることができる。特に学習目的で外国語映像を視聴する場合には，一部は分かるが一部は分からないという状況が大半であることが想定され，このように字幕言語と訳文を行ったり来たりしながら視聴を継続することができるようになることで，外国語で再生されるコンテンツの視聴に対するストレスを大幅に緩和することができ，外国語で再生されるコンテンツの視聴へのモチベーションを大きく上げることができる。
【００１２】
この際に字幕と合わせて訳語情報のみを表示した場合，その訳語情報が字幕のどの部分までを示すのかがわかりづらいことが多いのに対して，文節ごとの区切り情報とともに訳語情報を表示することで，訳語情報の示す範囲が明確化されて理解しやすくなる。そして，区切り情報による文節の把握による理解の促進と，訳語情報の表示による理解の促進により，訳語情報として断片的な情報のみを示したに過ぎない場合でも，視聴者にとって理解を進めやすい環境を提供することができる。
【００１３】
また，従来は文全体についての翻訳を提供していたことから，特に機械翻訳で正確な訳文を提供することが困難であったのに対し，本発明にかかる訳文情報は文節単位の範囲内であることから，翻訳対象範囲が文章全体の翻訳に比べて範囲が限られるので，その結果誤訳の発生率が縮小される。そしてコンテンツの内容を追って行ける程度の訳の提供でよいことと併せて考慮すると，先に機械翻訳をしてそれを修正するだけでも十分な精度の翻訳を得ることができる。そのため，通常の全体訳に比べるとコストが押さえることができ，翻訳者の素質による差異も少ない。
【００１４】
また文節単位の区切りが与えられることで，語彙の範囲が明確化するので，例えばルビ訳についても精度を上げることができる。このような文節単位の区切りとルビ訳については，比較的簡易なルールで作成することができ，先に機械処理をしてそれを修正するだけでも十分な精度を得ることができる。また，通常の翻訳に比べ，高度な外国語理解能力や文章表現能力は必要なく，翻訳者の素質による差異も少ない。このように，外国語によって再生されるコンテンツの内容を理解するための字幕の提供コストを抑えることができる。
【図面の簡単な説明】
【００１５】
【図１】スラッシュリーディングの重要性を説明する説明図。
【図２】本発明の実施の形態に係る外国語学習装置のシステム構成図。
【図３】ビューアの全体表示画面
【図４】ビューアの構成図
【図５】動画表示域の下部の拡大図
【図６】コントロール画面
【図７】各表示項目を別ページに段落ごとに並列表示した例
【図８】ルビ訳，スラッシュと括弧（文構造），及び文節訳の例
【図９】レベル別のルビ訳の例
【図１０】レベル別の文構造の例
【図１１】文節訳と，文節訳だけでは不十分な部分を補足するコメントの例
【図１２】語彙のリストの例
【図１３】文法・語法のリストの例
【図１４】字幕データの処理の順
【図１５】文節訳と文構造の処理の順
【図１６】ＳＲＴファイルの例
【図１７】文節の区切りとしてスラッシュを機械処理で挿入したときの例
【図１８Ａ】実際の編集ソフト上での処理前の態様
【図１８Ｂ】実際の編集ソフト上での処理後の態様
【図１９】機械翻訳の修正後の例
【図２０】機械処理後の文節訳の表示例
【図２１】ルビ訳の作成についての処理順
【図２２】編集ソフト上の処理選択画面
【図２３】編集ソフト上の新規編集画面
【図２４】編集ソフト上での人為的な処理画面
【図２５】コメントを登録する編集ソフトの表示画面
【図２６】マウスオーバー辞書による辞書の閲覧や辞書ページへのジャンプ例
【図２７】語彙の学習のデータ作成の作業順
【図２８】編集ソフト上の語彙リストの作成ページ
【図２９】ダウンロードして一覧で開いたときの語彙リストの例
【図３０】文法・語法の解説のデータ作成の作業順
【図３１】段落番号と該当英文，解説を入力するエクセルデータの例
【図３２】編集ソフトのアップロード画面
【図３３】編集ソフトの辞書の統合ページ
【図３４】編集ソフトの辞書の統合後のページ
【図３５】ダウンロードして一覧で開いたときの辞書の例
【発明を実施するための形態】
【００１６】
本実施の形態では，外国語学習用のさまざまな機能を加えた専用のビューアを活用することにより，学習補助を行うとともに，スラッシュリーディングのトレーニングを行うことができるようにした。さらに，ルビ訳と文構造の表示を行うとともに，一般的な日本語訳の代わりに文節訳を表示し，訳の参照を容易にした学習補助を提供する。また，スラッシュリーディングのトレーニングを，動画を視聴しながら行うことができるようにしたトレーニングを提供する。すなわち，（１）文構造の認識，特に文節を認識するトレーニング，（２）文節ごとに直訳し不十分な部分を補足するトレーニング，である。
【００１７】
図１は，スラッシュリーディングの重要性を説明する説明図である。本実施の形態では，文節に対する区切り情報の一例としてスラッシュの他にも括弧や二重括弧も取り上げ，これらも区切り情報の一例として説明する。区切り情報の位置は，スラッシュリーディングで用いられるように文節の区切りの位置に設けるのが最も分かりやすいが，文節の区切りの位置が理解できるように，利用者の便を考慮して様々な位置に配置してもよい。
【００１８】
スラッシュリーディングは英文を短い単位で直訳していくテクニックである（きちんとした翻訳は敢えてしない）。日本人に英語が難しい理由として，英語と日本語の差異が大きくスムーズに処理できないことがある。スラッシュリーディングの最大の利点は，複雑な英文でも非常にシンプルに捉えることが可能になることである。そのため，例えば，大学入試の英文にスラッシュを入れるだけで，中学レベルの文法力でも大まかな意味を取ることが可能になる。
【００１９】
スラッシュリーディングは他にもさまざまな名称で呼ばれており，英語を読解する時には誰もが多かれ少なかれ行っている。また，重要性も古くから指摘されているが，その真の意味と効果は十分には理解されていない。英語は学習効果が出にくく，特に一定レベル以上になるとその傾向が強いが，それは英語と日本語との相違が大きく，脳で処理しきれないためである。そのため，語彙や文法・語法などの知識が大幅に増えても，実際の英語力には結びつかないことも多い。スラッシュリーディングでは，複雑な英文でもシンプルな構造になり，スムーズに処理できる。
【００２０】
スラッシュリーディング自体には特別な知識は必要ないが，高度に行うためには十分なトレーニングが必要である。しかし，現実にはトレーニングできる学習環境がほとんどなく，個人で工夫して学習することも難しい。本実施の形態では，ＩＴ技術を駆使して，動画を視聴しながら，個々のユーザーの英語レベルに合ったスラッシュリーディングのトレーニングを行うことができるようにした。以上の実施の形態を実現するシステム構成図を図２に示して説明する。
【００２１】
図２は，本発明の実施の形態に係る外国語学習装置のシステム構成図を示す。本システムは，外国語学習装置１と，ネットワークを介して接続された情報処理装置２及びディスプレイ３と，携帯端末４と，サーバ５を備える。本実施の形態に係る主要な字幕処理及び映像関連処理は外国語学習装置１により実行する。実行結果はネットワークを介して出力し，情報処理装置２を介してディスプレイ３に字幕とともにコンテンツの再生処理を行う。また，携帯端末４にもコンテンツの再生処理を可能とする。外国語学習装置１により字幕処理及び映像関連処理を実行する各種映像コンテンツについては，サーバ５から外国語学習装置１に提供する。
【００２２】
外国語学習装置１，情報処理装置２，携帯端末４，サーバ５は，それぞれＣＰＵ（Ｃｅｎｔｒａｌ  Ｐｒｏｃｅｓｓｉｎｇ  Ｕｎｉｔ）と，ＲＯＭ（Ｒｅａｄ  Ｏｎｌｙ  Ｍｅｍｏｒｙ）と，ＲＡＭ（Ｒａｎｄｏｍ  Ａｃｃｅｓｓ  Ｍｅｍｏｒｙ）と，画像処理部と，メモリを備えている。ＣＰＵ，ＲＯＭ，ＲＡＭ，画像処理部及びメモリは，バスを介して相互に接続されている。
【００２３】
ＣＰＵは，ＲＯＭに記録されているプログラム，又はメモリからＲＡＭにロードされたプログラムに従って各種の処理を実行する。ＲＡＭには，ＣＰＵが各種の処理を実行する上において必要なデータ等も適宜記憶される。
【００２４】
画像処理部は，ＤＳＰ（Ｄｉｇｉｔａｌ  Ｓｉｇｎａｌ  Ｐｒｏｃｅｓｓｏｒ）や，ＶＲＡＭ（Ｖｉｄｅｏ  Ｒａｎｄｏｍ  Ａｃｃｅｓｓ  Ｍｅｍｏｒｙ）等から構成されており，ＣＰＵと協働して，画像のデータに対して各種画像処理を施す。
【００２５】
メモリは，ＤＲＡＭやキャッシュメモリ，磁気ディスク，光ディスク，光磁気ディスク，或いは半導体メモリ等何らかの記憶媒体が挙げられる。メモリは，バスにより接続されるもののみならず，ドライブを介して読み書きされるものも含まれる。本実施形態で記憶されたデータは，一時的記憶も不揮発性メモリによる長期記憶の場合も，このメモリにいったん記憶するものとして説明する。
【００２６】
外国語学習装置１，情報処理装置２，携帯端末４，サーバ５のそれぞれには入出力インターフェースが接続されている。入出力インターフェースを介して，表示部，撮像部，入力部，通信部が接続されている。入力部は，各種ボタンにより構成され，ユーザの指示操作を受け付ける。通信部は，インターネットを含むネットワークを介して他の装置との間で行う通信を制御する。
【００２７】
外国語学習装置１，情報処理装置２，携帯端末４，サーバ５は，それぞれ以上の各構成を備えるが，機能的構成についてはそれぞれ後述する。各機能的構成は，ＣＰＵ，ＲＯＭ，ＲＡＭ，画像処理部及びメモリの協働動作により機能的に実現される。これらの各部の機能は電子回路又はプログラムによって提供されるモジュール構成であり，プログラムについてはＲＯＭに格納され，ＣＰＵにより適宜読み出しながら各部と協働することで実行される。
【００２８】
次に，外国語学習装置１の機能的構成を説明する。外国語学習装置１は，コンテンツを再生する再生部１５と，字幕記憶部２０と，字幕表示部２５を備える。外国語学習装置１に備えられる各部は，外国語学習装置１内の機能として説明するが，一部または全部を外国語学習装置１の外の，例えば情報処理装置２に備えてもよい。便宜上，上述の各部が外国語学習装置１に備えられたものとして説明する。
【００２９】
コンテンツとは，本実施の形態では映像と音声からなるコンテンツを主に例に挙げて説明するが，映像は必ずしもなくてもよく，音声のみからなるラジオコンテンツとしてもよい。いずれにしても，本実施の形態に係るコンテンツとは，再生の対象となるコンテンツである。再生部１５は，これらのコンテンツを再生出力する。
【００３０】
字幕記憶部２０は，コンテンツの再生の進行に沿った第１言語に基づく字幕を，字幕の文節単位ごとの区切りを特定して保持する。本実施の形態では第１言語と第２言語を挙げて説明するが，ここで第１言語とはコンテンツの再生言語となっている外国語であり，主に英語である。また第２言語とは視聴者がネイティブとして理解する言語であり，主に日本語である。もちろん言語の組み合わせはコンテンツの再生言語と，視聴者のネイティブ言語の組み合わせ次第であり，例えば英語と日本語が逆になることもあるが，ここでは第１言語の例として英語を，第２言語の例として日本語を挙げて説明する。
【００３１】
字幕は，コンテンツの再生言語である英語で，コンテンツの再生の進行に沿って記述された文字列である。英文は文節ごとに区切り，字幕記憶部２０に保持している。字幕記憶部２０には，字幕のタイムとテキストを分割して独自体裁のファイルとして保存している。
【００３２】
文節の区切りは，前記テキスト中に記述している。文節の区切りはおもに，１）長い主語の前後，２）長い目的語や補語の前後，３）前置詞の前，４）不定詞，分詞の前，５）接続詞の前，６） 関係詞の前，７）疑問詞節，that節の前，８）文末の副詞の前  に入れている。処理方法としては，先に機械処理をし，その後，人為的な修正を加えている。なお，１）長い主語の前後，２）長い目的語や補語の前後  は高度な文構造の分析が必要であり，機械処理では行うことができない。
【００３３】
そして字幕記憶部２０は，この字幕の文節全体又は文節単位ごとに含まれる語彙についての，第２言語（日本語）に基づく訳語情報を保持する。訳語情報としては，文節単位ごとに含まれる語彙ごとの訳語である第１訳語情報が挙げられる。第１訳語情報としてはルビ訳が挙げられる。言い換えると，個々の単語の訳や，複数単語の組み合わせからなる連語が該当する。
【００３４】
また，字幕に含まれる文節ごとの文節全体の訳である第２訳語情報も挙げられる。第２訳語情報としては，文節訳が挙げられる。文節として完結する訳の他，全文に対する訳を用意して，そのうちの該当する文節についての訳の部分の抜粋でもよい。
【００３５】
字幕記憶部２０で保持する訳語情報は，第１訳語情報，第２訳語情報の一方でもよく，さらに，その他字幕の訳語に関する他の情報を含めてもよい。字幕記憶部２０は，字幕に含まれる文に関する文法情報を，該当する語彙に対応付けて記憶する。文法情報については後述する。
【００３６】
字幕表示部２５は，コンテンツの再生の進行に合わせて字幕を表示する。後述するように，字幕を記述するファイルには，コンテンツの再生時間が対応付けられており，字幕表示部２５は，該当するコンテンツの再生時間に字幕を表示する。すなわち，字幕表示部２５は，コンテンツで再生している映像のタイミングで該当する字幕を表示する。
【００３７】
さらに字幕表示部２５は，表示される字幕の文節単位ごとの区切りを示す区切り情報及び訳語情報を表示する。区切り情報としては，上述のスラッシュリーディングに用いられるスラッシュ記号や，括弧，二重括弧が挙げられる。視聴者が文節を認識できるような記号であればいかなる記号でもよく，文節ごとに色変え表示をしてもよい。字幕記憶部２０では，字幕の文節単位ごとの区切りを特定して保持しているので，字幕表示部２５は，この特定された区切りを認識することにより，区切り情報を表示する。
【００３８】
字幕表示部２５は，訳語情報として，表示する字幕に対応する語彙と並べて第１訳語情報を表示し，さらに第２訳語情報を表示し，さらに該当する前記文法情報をさらに表示する。これらはいずれかのみでもよく，複数の組み合わせでもよい。通常は後述するように，字幕を区切り情報とともに第１訳語情報を表示し，別の欄に字幕を区切り情報とともに第２訳語情報を表示する。そして他の情報は別の欄に表示する。
【００３９】
外国語学習装置１では，ルビ訳が付く語彙のレベルを選択部をさらに備え，タブ操作により選択する。レベルについては後述するが，例えば高校レベルであれば，中学レベルの語彙にはルビ訳は付かず，高校レベル以上の語彙のみにルビ訳が付く。また，字幕記憶部２０は，語彙アプリと連動させることにより，ユーザーごとのルビ訳表示も可能である。字幕表示部２５は，文法情報のうち，選択されたレベルに該当するものを選択して表示する。
【００４０】
以上のように外国語学習装置１を構成することにより，再生部１５によりコンテンツが再生されるとともに，字幕表示部２５により字幕が訳語情報とともに表示出力される。出力部３５及びネットワークを介して出力され，出力された結果としてディスプレイ３にコンテンツ及び字幕が再生される。
【００４１】
図３はビューアの全体表示画面であり，図４はビューアの構成図である。ビューアは[動画表示域１１０][字幕などのテキスト表示域１２０][テキストの別ページ表示の指定１３０]から構成され，[動画表示域１１０には下部に[コントロール１４０]があり，動画上には[ルビ訳＋文構造１５０][文節訳１６０]が配置されている。
【００４２】
再生部１５により，動画表示域１１０の動画部分が再生され，字幕表示部２５により，動画表示域１１０の他の部分，すなわち字幕関連部分と，字幕などのテキスト表示域１２０，及びテキストの別ページ表示の指定１３０が表示制御される。以上の各部に対する表示制御について，図５から図７までを参照して説明する。
【００４３】
１．動画表示域１１０
動画表示域１１０は，動画を表示する領域であるとともに，字幕を重ねて表示する部分である。本実施の形態では字幕は動画に重ねて表示する例を説明するが，字幕領域を動画表示域１１０から分けて設けてもよい。動画表示域１１０に動画を再生する一方で，動画上に[ルビ訳＋文構造１５０][文節訳１６０]を配置し，字幕，区切り情報及び訳語情報などを表示する。
【００４４】
図５は動画表示域の下部の拡大図を示す。動画表示域１１０上の，特に動画の下の部分の一般的に字幕を表示する部分に，[ルビ訳＋文構造１５０]と[文節訳１６０]を並べて表示する。ルビ訳＋文構造１５０は，英語字幕を文構造を明確にした上でルビ訳を合わせて表示する部分である。
【００４５】
文構造とは，この場合特に文節を区切って表示する部分であり，特にスラッシュや，括弧，二重括弧等が挙げられる。図５では，ルビ訳＋文構造１５０において，まずＮｅｘｔ ｃｏｍｅｓと続いた後にスラッシュで区切られて，ｃｏｎｑｕｅｓｔ ａｎｄ ｃｏｌｏｎｉｚａｔｉｏｎと続き，この後にさらにスラッシュ，と続いていく。このようにルビ訳＋文構造１５０では，スラッシュ部分で１つの文を文節ごとに区切ることにより文構造を明確にしている。
【００４６】
ルビ訳＋文構造１５０では，ｃｏｎｑｕｅｓｔ ａｎｄ ｃｏｌｏｎｉｚａｔｉｏｎの部分の前後にスラッシュで区切られているが，「ｃｏｎｑｕｅｓｔ」の下にその訳語である「征服」と表示し，「ｃｏｌｏｎｉｚａｔｉｏｎ」の下にその訳語である「植民地化」と表示する。このような訳語をルビとして割り当てることにより，ルビ訳として表示する。ルビ訳の対象はこのように多くの場合は各単語の訳語となるが，この他に複数の単語からなる熟語，連語を含めた語彙についての訳語を表示する場合もある。
【００４７】
なお通常，ユーザーは[ルビ訳＋文構造１５０]を見ながら学習し，必要に応じて[文節訳１６０]を参照する。文節訳１６０は，文節ごとの訳を表示する部分であり，上述の文構造と合わせて表示する。
【００４８】
ルビ訳＋文構造１５０と同様に，文節訳１６０では，ｃｏｎｑｕｅｓｔ ａｎｄ ｃｏｌｏｎｉｚａｔｉｏｎの部分の前後にスラッシュで区切られているが，その下にその文節全体の訳語である「征服と植民地化が」と表示する。このような訳語を文節訳１６０として表示する。
【００４９】
図６は，コントロール画面を示し，図３に示したコントロール１４０の詳細を示す。字幕表示部２５は，このコントロール１４０の画面について表示制御する。一方で視聴者によるこのコントロール画面の各部への操作に基づき，選択部３０は，所望の画面表示を選択し，字幕表示部２５に対する指示制御を実行する。コントロール１４０は，（１）ルビ訳＋文構造１５０，文節訳１６０の表示/非表示，切り替え（２）再生速度の変更（３）全画面表示（４）難しい部分での自動静止（３秒など），をそれぞれ含み，視聴者がそれぞれ操作することにより，選択部３０によって選択処理が実行される。切り替えは，再生中でも可能とする。（１）から（４）についての指示入力を受けて，外国語学習装置１では表示制御して入力された通りに表示する。
【００５０】
（１）の操作により，ルビ訳＋文構造１５０，文節訳１６０の一方のみ，若しくは両方のいずれかを表示するように指示する。（２）の操作により，映像及び音声の再生速度の上げ下げを行う。これに伴い，ルビ訳＋文構造１５０，文節訳１６０の表示速度も合わせて調節する。（３）の操作により，全画面表示したり，元に戻したりを行い，（４）の操作により，特定の難易度が高いと設定された部分でコンテンツ再生の自動停止を行う。自動停止により，じっくり字幕を読むことができ，視聴者が内容について行けるようになる。
【００５１】
２．字幕などのテキスト表示域１２０
図３に示した[字幕などのテキスト表示域１２０]には，既に表示しているルビ訳＋文構造１５０に対応する[ルビ訳＋文構造１２５]とともに，これ以降にルビ訳＋文構造１５０として表示すべき複数の部分を並べて表示する。
【００５２】
また，図３には示さないが，ルビ訳＋文構造１２５とともに，若しくはルビ訳＋文構造１２５に替えて，[文節訳]を表示することもできる。さらに，字幕などのテキスト表示域１２０には，[語彙リスト][文法・語法のリスト] を表示することもできる。字幕などのテキスト表示域１２０及びルビ訳＋文構造１２５の表示は，動画の再生に合わせて自動的にスクロールし，。字幕などのテキスト表示域１２０の表示対象は，上部のタブで表示を切り替えることができ，再生中でも可能とする。又は表示切替については，図６に示したコントロール画面を介して行うことができるようにしてもよい。
【００５３】
３．テキストの別ページ表示の指定１３０
[テキストの別ページ表示の指定１３０]では，字幕などのテキスト表示域１２０として表示した，複数の[ルビ訳＋文構造１２５]，[文節訳]，[語彙リスト]，[文法・語法のリスト] の内の２つを指定し，図７に示すように別ページに段落ごとに並列表示する。以上の指定操作は，表示画面に対する指定操作であり，この入力に基づき，選択部１３０により以上の２つを選択し，選択結果に基づき，字幕表示部２５により，図７に示した表示画面を表示する。
【００５４】
図８は，第１訳語情報としてのルビ訳と，区切り情報としてのスラッシュと括弧（文構造），また，第２訳語情報としての文節訳の例である。図５に示した[ルビ訳＋文構造１５０]と[文節訳１６０]について，図８を参照してさらに詳細に説明する。[ルビ訳＋文構造１５０]と[文節訳１６０]により提供される学習補助により一般的な動画でも中学レベルの英語力で大まかな意味を把握できるようにした。なお，文節訳があるので，英語が分からない人でも意味を取ることは可能である。図８を参照して，[ルビ訳＋文構造１５０]と[文節訳１６０]に含まれる，１．ルビ訳，２．文構造，３．文節訳についてさらに詳細に説明する。
【００５５】
１．ルビ訳
ルビ訳＋文構造１５０に含まれるルビ訳には，ユーザーのレベルに合わせて表示し，文法・語法の補足が必要な部分にはコメントを添えた。レベルは最大７レベルを用意したほか，語彙アプリと連動させることにより，ユーザーの学習済みの語彙のルビ訳を非表示にすることも可能である。なお，動詞には，基本的に原形の意味をカッコ付きで表記している。
２．文構造
ルビ訳＋文構造１５０に含まれる文構造として，文中の区切りにはスラッシュ，意味のまとまりには [  ] ，挿入部分には [[  ]] を挿入した。なお，[  ]と[[  ]]は特に注意が必要な部分のみに挿入している。
３．文節訳
文節訳１６０として，文節ごとに直訳を表示し，英語と日本語の表現の相違が大きい場合は簡潔なコメントを添えた。
【００５６】
（トレーニング）
上述の説明では，すべての視聴者に対して単一のレベルでルビ訳＋文構造１５０と文節訳１６０を表示することにより，学習補助，視聴補助を提供する例を説明したが，実際は中学生レベルから上級者レベルまで多岐にわたる学習者がおり，各レベルに適合させた学習補助，視聴補助を提供することが望まれる。そこで，レベルに応じて，動画を視聴しながら，語彙の意味の把握，文構造への慣れ，直訳と英語的な表現への慣れのトレーニングを行えるようにした例について説明する。また，動画外では，語彙，文法・語法の学習を行えるようにした。
【００５７】
１．語彙の意味の把握
図９はレベル別のルビ訳の例を示す。まず図９に示す（ａ）から（ｃ）の各レベルのうちから，レベルに合ったルビ訳をユーザーは選択する。選択部３０は入力を受けて，選択結果を字幕表示部２５に送り，字幕表示部２５によりルビ訳＋文構造１５０として表示する。このように選択部３０はレベルを選択する一方で，字幕記憶部２０は，ルビ訳，文節訳，スラッシュなどの各種訳語情報をレベルごとに区分して記憶しておく。そして字幕表示部２５は，こうした訳語情報のうち，選択されたレベルに該当するものを選択して表示する。
【００５８】
外国語学習装置１は，レベルに従ってルビ訳の表示数を切り替えることにより，ルビ訳の付いていない語彙の意味を把握するトレーニングを提供する。また，外国語学習装置１は，語彙アプリと連動させることにより，ユーザーの学習済みの語彙のルビ訳を非表示にすることも可能である。
【００５９】
（ａ）は，中学レベル，すなわち最も基礎的なレベルのルビ訳を表示する設定の時の，ルビ訳＋文構造１５０の表示例を示す。最も基礎的なレベルでは，一番多くのルビ訳を表示する。（ｂ）は，高校レベルのルビ訳を表示する設定の時の，ルビ訳＋文構造１５０の表示例を示す。（ａ）の場合と比べて，表示するルビ訳の数は減らしてある。
【００６０】
そして（ｃ）は，大学レベル，すなわち最も難易度の高いレベルのルビ訳を表示する設定の時の，ルビ訳＋文構造１５０の表示例を示す。（ｂ）の場合と比べて，表示するルビ訳の数はさらに減らしてある。提供されるルビ訳には，それぞれレベルが設定されており，各語彙をルビ訳として表示する際に，レベルを参照して表示するか否かを判定することにより，設定したレベルに該当するルビ訳のみを表示する。
【００６１】
２．文構造への慣れ（スラッシュリーディング）
図１０はレベル別の文構造の例を示す。図９ではルビ訳をレベル別に変える例を示したが，図１０では文節の区切り，文構造についてレベルに従って変化させる例を説明する。ここで，ユーザーはレベルに合った文構造を選択し，区切りの把握と，意味のまとまりと挿入部分を意識したトレーニングを行う。これは，スラッシュリーディングのトレーニングの一環である。
【００６２】
（ａ）は，最も基礎的なレベルとして，すべての文構造を表示する例としての文構造あり（標準）のルビ訳＋文構造１５０の表示例を示す。ここでは，すべての文節の区切りにスラッシュを挿入し，意味のまとまりには [  ]を挿入して表示している。（ｂ）は，次に難易度を上げて，意味のまとまりには [  ]を挿入する一方で，文節の区切りのスラッシュを挿入しない場合のルビ訳＋文構造１５０の表示例を示す。そして（ｃ）は，最も難易度の高いレベルで，スラッシュも括弧も挿入しない場合の，ルビ訳＋文構造１５０の表示例を示す。このように，ルビ訳だけでなく，文構造についてもレベル別に表示を切り替えることができ，ユーザーのレベルに応じた学習補助を提供することができる。
【００６３】
３．直訳と英語的な表現への慣れ（スラッシュリーディング）
図１１は文節訳と，文節訳だけでは不十分な部分を補足するコメントの例である。文節訳にはできるだけ直訳に近い訳を表記し，コメントは特に分かりにくい場合のみに表記している。ユーザーは，直訳への慣れと，直訳では不十分な部分（英語的な表現）を補足するトレーニングを行う。これは，スラッシュリーディングのトレーニングの一環である。
【００６４】
４．語彙，文法・語法の学習
動画外で，語彙と文法・語法の学習を行うことができるようにした。
（１）語彙の学習
図１２は語彙のリストの例で，語彙とその解説を動画外に出現順に表示し，動画と連動して移動するようにした。解説は，単語帳のようなシンプルな解説にとどめている。
（２）文法・語法の学習
図１３は文法・語法のリストの例で，文法・語法とその解説を動画外に出現順に表示し，動画と連動して移動するようにした。
【００６５】
（本実施の形態を提供する技術的な方法）
ルビ訳＋文構造１５０と文節訳１６０は，事前に字幕データとして作成して字幕記憶部２０に用意する。その字幕データの作成及び編集手順について，図１４を参照して説明する。なお，編集は独自に開発した編集ソフトで行う。
【００６６】
図１４は字幕データの処理の順を示す。最初に[Ｓ１００．文節訳] にて，元の字幕のテキストデータから，文節訳を作成するとともに，文構造，すなわち文節の区切りなどの字幕の補助情報を作成する。そして次に，[Ｓ２００．ルビ訳]を作成する。 その後，[Ｓ３００．語彙の学習][Ｓ４００．文法・語法の学習]を行う。
【００６７】
１．文節訳，文構造
図１５は文節訳と文構造の処理の順を示す。図１４に示す[Ｓ１００．文節訳]の処理の詳細として，[（Ｓ１１０）ＳＲＴファイル] [（Ｓ１２０）文節の区切り（機械処理）][（Ｓ１３０）翻訳（機械処理）][（Ｓ１４０）編集（人為的な処理）][（Ｓ１５０）完了時の処理]の順で行う。なお，[（Ｓ１２０）文節の区切り（機械処理）][ （Ｓ１３０）翻訳（機械処理）]の処理は，編集を補助するためのものなので，行わなくてもよい。  
【００６８】
[Ｓ１００．文節訳]の処理の詳細
１．ＳＲＴファイル
図１６はＳＲＴファイルの例を示す。図１５に示した[（Ｓ１１０）ＳＲＴファイル]の詳細である。ＳＲＴファイル３００は最も広く使われているテキスト体裁の字幕ファイルであり，時間と字幕，改行位置のみが表記されている。なお，字幕にはタイムごとに通し番号がついている。
【００６９】
ＳＲＴファイル３００のうちの通し番号１によると，開始時間００：００：００，０００で終了時間００：００：０６，５００と記載されている。通し番号１によると，この開始時間から終了時間までの間，通し番号１に割り当てられた字幕を表示し続け，その後画面から消去することを示している。その下に「Ｔｈｅ  Ｈａｐｐｙ  Ｐｒｉｎｃｅ」と書かれており，本字幕が，上記表示時間の間表示される。
【００７０】
その次に通し番号２の字幕が続き，先の通し番号１の終了時間の後のいずれかの表示すべき時間について開始時間と終了時間が特定され，さらに字幕が続く，という通し番号１と同様の表記がされ，その後，字幕が続く限り通し番号順にテキスト情報が連続する。ＳＲＴファイル３００は，このように時間の情報と表示する字幕を対応付けることにより表示する字幕を記述している。通常は上述のように通し番号が付されているが，読み込み時には無視されるので，この部分にはメモなどを書いておくこともできる。なお，編集ソフトでは，ＳＲＴファイル以外のファイル体裁でも互換性はあり，利用は可能である。
【００７１】
２．文節の区切り（機械処理）
図１７は，編集ソフトで，文節の区切りとしてスラッシュを機械処理で挿入したときの例である。[（Ｓ１１０）ＳＲＴファイル] について図１６を参照して説明したので，次に[（Ｓ１２０）文節の区切り（機械処理）]について図１７を参照して説明する。
【００７２】
機械処理による文節の区切りについては，図２についての字幕記憶部２０の説明で説明した通りであり，１）長い主語の前後，２）長い目的語や補語の前後，３）前置詞の前，４）不定詞，分詞の前，５）接続詞の前，６） 関係詞の前，７）疑問詞節，that節の前，８）文末の副詞の前，に該当するときに，所定の優先順位に基づいて文節の区切りとなっていることを判別する。上述のように，１）長い主語の前後，２）長い目的語や補語の前後  は高度な文構造の分析が必要であり，機械処理では行うことができないので，機械処理で文節の区切り処理を行った後で，人為的に修正処理を行う。
【００７３】
図１８Ａは，実際の編集ソフト上での処理前の態様を示し，図１８Ｂは，実際の編集ソフト上での処理後の態様を示す。なお，図１８Ａは，図１６のＳＲＴファイルを編集ソフト上で示した概要であり，図１８Ｂは，図１７のＳＲＴファイルを編集ソフト上で示した概要である。
【００７４】
３．機械翻訳
以上，[（Ｓ１２０）文節の区切り（機械処理）] について説明したので，次に[（Ｓ１３０）翻訳（機械処理）]について説明する。まず，ＳＲＴファイルのテキストを，一般の編集ソフトを利用して機械翻訳する。一般的には機械翻訳についてはセンテンスごとに翻訳処理するが，ここでは文節単位で翻訳してもよく，またセンテンス単位での翻訳結果を文節単位の翻訳結果を組み合わせた翻訳出力を得るなど様々な方法が考えられる。いずれにしても，表示するのは文節訳１６０の組み合わせであることから，文節訳１６０のそれぞれについての翻訳結果が得られるように機械翻訳をかける。
【００７５】
４．編集（人為的な処理）
以上，[（Ｓ１３０）翻訳（機械処理）] について説明したので，次に[（Ｓ１４０）編集（人為的な処理）]について説明する。ここでは，機械翻訳したものを修正する。図１９は修正後の例で，機械翻訳を修正するとともに，意味を取りにくい部分にはコメントを入れる。コメントは先頭に矢印（→）を入れておくと，編集ソフトでコメントとして機械的に認識される。また同様に，意味のまとまりには [  ] ，挿入部分には [[  ]] を入れておくと，編集ソフトで機械的に認識される。なお，スラッシュはあってもなくてもよく，余分なスペース等の人的なミスも，編集ソフトで機械的に修正される。
【００７６】
５．完了
以上，[（Ｓ１４０）編集（人為的な処理）] について説明したので，次に[（Ｓ１５０）完了時の処理]について説明する。  編集ソフトに読み込むと機械処理され，図２０のように文節訳として表示される。
【００７７】
[Ｓ２００．ルビ訳]の作成について
ルビ訳の編集は， [１．文節訳]の登録後に行う。図２１は処理の順を示したもので，[（Ｓ２１０）ルビ訳の処理（機械処理）][（Ｓ２２０）ソフト上での編集（人為的な処理）] の順で行う。なお，ルビ訳と文節訳では，英文とタイムを共有しているため，文節訳の修正を行ったときは機械的にルビ訳にも反映される。
【００７８】
１．（Ｓ２１０）．ルビ訳の処理（機械処理）
精度の高い機械処理を行うことができるように，図２２，図２３のように編集ソフト上の[新規編集]ページで以下の（１）〜（３）のいずれかの処理を選択する。通常は（２）を選択する。
（１）新規の編集
データベースのみで訳付けするときに利用し，[ルビ訳名][データベース名]を指定する。
（２）新規の編集（流用辞書あり）
他のルビ訳辞書を流用して訳付けし，ない場合のみデータベースで訳付けするときに利用し，[ルビ訳名][データベース名][流用辞書名]を指定する。なお，流用辞書のみで訳付けする場合は，[ルビ訳名] [流用辞書名]を指定する。
（３）完全流用
他のルビ訳辞書を完全流用して訳付けするときに利用し，[ルビ訳名][流用ルビ訳名]を入力し，[行番号指定の訳語も流用する][コメントも流用する]にチェックを入れる。
【００７９】
２．（Ｓ２２０）ソフト上での編集（人為的な処理）
編集はすべて，図２４の編集ソフト上で行う。編集ソフト上では，以下の（１）〜（５）の処理を行うことができる。
（１）ルビ訳の修正，削除
（２）ルビ訳の新規登録
単語だけではなく連語も登録でき，英文中に同一の語彙が複数ある場合には，一部の語彙だけに訳を付けたり，異なる訳をつけることも可能である。
（３）語彙のレベルの指定，変更
編集ソフトでは最大７レベルをサポートしている。
（４）コメントの登録
図２５の編集ソフト上で，コメントを登録する。
（５）一時静止する段落の指定（コメント以外）
再生時には，ユーザ側の設定により，コメントのある行とその他分かりにくい部分で動画を自動静止（３秒，５秒など）することができる。
【００８０】
その他：
１）編集ソフトはブラウザ上で動作し，一般のPCで編集できるため，主婦に方などに自宅での作業を依頼することができる。
２）データはサーバー上で一括管理されるため，複数の編集者の共同作業やデータの共有が容易である。
３）データが個々の編集者のＰＣに残らないため，セキュリティーの管理もしやすい。また，ＰＣの不具合や故障による影響を受けにくい。
２）ブラウザの機能を利用できる。例えば，図２６のように，マウスオーバー辞書を機能させ，辞書の閲覧や辞書ページのジャンプが容易にできる。
【００８１】
[Ｓ３００．語彙の学習]について
語彙の学習のデータ作成は，[Ｓ２００．ルビ訳]の完了後に行う。図２７は作業順を示したもので，[Ｓ３１０語彙リストの作成（機械処理）][Ｓ３２０エクセルでの編集（人為的な処理）] の順で行う。なお，[Ｓ３２０エクセルでの編集（人為的な処理）] は通常は行う必要はない。
【００８２】
Ｓ３１０．語彙リストの作成（機械処理）
図２８は編集ソフト上の[語彙リストの作成]ページで，ルビ訳名（スクリプト名）と語彙リストのデータベース名を入力する。データベース名は語彙リスト用の辞書で，予め登録されている。指定すると機械処理が行われ，ルビ訳をつけた語彙の内，データベースにあるものが収集されリスト化される。なお，同綴異義語があるときは，人為的に選択する。
【００８３】
Ｓ３２０．エクセルでの編集（人為的な処理）
語彙リストは，ＣＳＶファイルとしてダウンロードしてエクセル上で編集し，再度アップロードすることができる。図２９はダウンロードしてエクセルで開いたときの語彙リストの例で，英語語彙と解説などが記述されている。解説部分にはhtmlタグを使用することができる。
【００８４】
[Ｓ４００．文法・語法の学習]について
文法・語法の解説のデータ作成は，[Ｓ２００．ルビ訳]の完了後に行う。図３０は作業順を示したもので，[Ｓ４１０エクセルでリストを作成（人為的な処理）][ Ｓ４２０リストの完成（機械処理）] の順で行う。
【００８５】
Ｓ４１０．エクセルでリストを作成（人為的な処理）
エクセルで，文法・語法の解説のデータを作成する。図３１はエクセルデータの例で，段落番号と該当英文，解説を入力する。解説には，解説コードを入力する方法と独自解説を記述する方法の２つがある。解説コードには，予め登録されているデータベースの解説コードを入力する。また，独自解説部分にはhtmlタグを使用することができる。
【００８６】
Ｓ４２０．リストの完成（機械処理）
エクセルデータをCSVファイルで保存し，図３２の編集ソフトの[文法・語法の解説]ページからアップロードすると，機械処理により解説コードを記述した部分に，データベースから解説が収集されリストが完成する。必要なら，さらにダウンロードして修正することも可能である。
【００８７】
（辞書の管理）
辞書の管理を行うことにより，精度の高い機械処理を行うことができる。 
１．ルビ訳の辞書の統合
ルビ訳の辞書を最大１０まで統合することができ，特にシリーズものでは字幕の編集を終えるごとに辞書の統合を行うことにより，精度の高い辞書を得ることができる。図３３は編集ソフトの辞書の統合ページで，統合する辞書名を入力する。なお，同一の語彙で訳が異なるときは，統合時に図３４のページが現れるので，人為的に選択する。
２．辞書のアップロード・ダウンロード
ルビ訳の辞書は，ＣＳＶファイルとしてダウンロードしてエクセル上で編集し，再度アップロードすることができる。図３５はダウンロードしてエクセルで開いたときの辞書の例で，英語語彙とルビ訳のほか，英語語彙のレベルなどが記述されている。
【００８８】
以上，本発明について実施例を用いて説明したが，本発明の技術的範囲は上記実施例に記載の範囲には限定されない。上記実施例に，多様な変更又は改良を加えることが可能であることが当業者に明らかである。その様な変更又は改良を加えた形態も本発明の技術的範囲に含まれ得ることが，特許請求の範囲の記載から明らかである。
【符号の説明】
【００８９】
外国語学習装置１，情報処理装置２，ディスプレイ３，携帯端末４，サーバ５，再生部１５，字幕記憶部２０，字幕表示部２５，出力部３５，動画表示域１１０，字幕などのテキスト表示域１２０，テキストの別ページ表示の指定１３０，コントロール１４０，ルビ訳＋文構造１５０，文節訳１６０
【図１】
2018112681.tif 000003
【図２】
2018112681.tif 000004
【図３】
2018112681.tif 000005
【図４】
2018112681.tif 000006
【図５】
2018112681.tif 000007
【図６】
2018112681.tif 000008
【図７】
2018112681.tif 000009
【図８】
2018112681.tif 000010
【図９】
2018112681.tif 000011
【図１０】
2018112681.tif 000012
【図１１Ａ】
2018112681.tif 000013
【図１１Ｂ】
2018112681.tif 000014
【図１２】
2018112681.tif 000015
【図１３】
2018112681.tif 000016
【図１４】
2018112681.tif 000017
【図１５】
2018112681.tif 000018
【図１６】
2018112681.tif 000019
【図１７】
2018112681.tif 000020
【図１８Ａ】
2018112681.tif 000021
【図１８Ｂ】
2018112681.tif 000022
【図１９】
2018112681.tif 000023
【図２０】
2018112681.tif 000024
【図２１】
2018112681.tif 000025
【図２２】
2018112681.tif 000026
【図２３】
2018112681.tif 000027
【図２４】
2018112681.tif 000028
【図２５】
2018112681.tif 000029
【図２６】
2018112681.tif 000030
【図２７】
2018112681.tif 000031
【図２８】
2018112681.tif 000032
【図２９】
2018112681.tif 000033
【図３０】
2018112681.tif 000034
【図３１】
2018112681.tif 000035
【図３２】
2018112681.tif 000036
【図３３】
2018112681.tif 000037
【図３４】
2018112681.tif 000038
【図３５】
2018112681.tif 000039